(57)【要約】【課題】  透過型表示器を有する弾球遊技機において、表示器のガラス端面が遊技者に見えない様にする。【解決手段】  ＥＬディスプレイ２のガラス端面と板ガラス７ｂの表面との間にガラスと屈折率がほぼ同等の接着剤２５を充填して、ガラス端面を接着剤２５で覆う。接着剤２５の表面２５ａはカバーガラス２０の表面２０ａと滑らかに連なり、また板ガラス７ｂの表面とも滑らかに連なっている。ＥＬディスプレイ２のガラス端面も、そのエッジ２０ｂも遊技者にほとんど認識されないから、ガラス端面及びエッジ２０ｂが遊技者に見えて見栄えが悪化することはなく、見栄えは良好である。接着剤２５と板ガラス７ｂとの境界も遊技者にほとんど認識されないから、この点でも見栄えが良好になる。ＥＬディスプレイ２のガラス端面は面取りされていないので、見栄えを害するエッジを最小限に抑えることができる。【選択図】  図３
2005218763.tif 000002
【特許請求の範囲】
【請求項１】
ガラス基板上に表示素子が積層された透過型表示器を遊技盤の前方に配される透明板に装着した弾球遊技機において、
前記ガラス基板の端面と前記透明板の表面との間に透明材を充填して、前記ガラス基板の端面を前記透明材で覆った
ことを特徴とする弾球遊技機。
【請求項２】
請求項１記載の弾球遊技機において、
前記透過型表示器は前記表示素子を挟んで前記ガラス基板と対面配置されるカバーガラスを備えており、
前記透明材は前記カバーガラスの端面をも覆っている
ことを特徴とする弾球遊技機。
【請求項３】
請求項１又は２記載の弾球遊技機において、
前記透過型表示器に用いられているガラスの端面は面取り加工されていない
ことを特徴とする弾球遊技機。
【請求項４】
請求項１から３のいずれか１項に記載の弾球遊技機において、
前記透明板は板ガラスであることを特徴とする弾球遊技機。
【請求項５】
請求項１から４のいずれか１項に記載の弾球遊技機において、
前記透明材の屈折率は、前記透過型表示器に用いられているガラスの屈折率とほぼ同等である
ことを特徴とする弾球遊技機。
【請求項６】
請求項１から５のいずれか１項に記載の弾球遊技機において、
前記透明材の屈折率は、前記透明板の屈折率とほぼ同等であることを特徴とする弾球遊技機。
【請求項７】
請求項１から６のいずれか１項に記載の弾球遊技機において、
前記透明材は接着剤であることを特徴とする弾球遊技機。
【発明の詳細な説明】
【技術分野】
【０００１】
この発明は、パチンコ機等の弾球遊技機の技術分野に属する。
【背景技術】
【０００２】
特開平５−１１５５９６号公報（特許文献１）には、液晶表示器が、遊技盤との間に遊技球が通過可能な間隔を隔てて遊技盤の前面側に配置されている構成が開示されている。
また、特開２００１−２４６０９７号公報（特許文献２）には、遊技盤の前面に配設された２枚の板ガラスの中央部分に可変表示器が配設され、奥側の板ガラスの表面に貼付された透視ケーブルにて表示用の電気信号を伝送する構成が開示されている。
【０００３】
これら特許文献１、２に開示された弾球遊技機は可変表示器を装備しつつ、遊技球の落下経路が可変表示器によって制限されることを少なくしていることが特徴である。
【特許文献１】特開平５−１１５５９６号公報（段落００１１、図３）
【特許文献２】特開２００１−２４６０９７号公報（段落０００９、図２、図３）
【発明の開示】
【発明が解決しようとする課題】
【０００４】
しかし、特許文献２の弾球遊技機のように、遊技盤の前面に配設された２枚の板ガラスの中央部分に可変表示器が配設されると、板ガラスを通して可変表示器のガラス端面が、完全に見えてしまうことで見栄えが悪くなり、遊技者の趣向を著しく害するものとなる。また特許文献１の弾球遊技機のように、可変表示器の周囲を枠等で囲って可変表示器のガラス端面が見えないようにした場合は、この枠等により遊技盤や遊技球の可視範囲が狭められ、ゲーム性が低下するという問題点が有った。
【０００５】
本発明は、上記問題を鑑みてなされたものであり、透過型表示器を有する弾球遊技機において、表示器のガラス端面が遊技者に解らない様に処理する事で見栄えの悪化を防ぐこと、即ち遊技者に不快感を与える表示器の端面が、遊技者に見えない様に処理を施した、弾球遊技機を提供するものである。
【課題を解決するための手段】
【０００６】
請求項１記載の弾球遊技機は、ガラス基板上に表示素子が積層された透過型表示器を遊技盤の前方に配される透明板に装着した弾球遊技機において、前記ガラス基板の端面と前記透明板の表面との間に透明材を充填して、前記ガラス基板の端面を前記透明材で覆ったことを特徴とする。
【０００７】
ガラス基板の端面を透明材で覆うことにより、遊技者に不快感を与える透明表示器のガラス端面を遊技者に認識されにくくでき、見栄えの悪化を防ぐことができる。
ガラス基板の端面とこれを覆う透明材とが一連になるから、ガラス基板の端面のエッジ（稜線）が実質上無くなる。エッジは見栄えを悪化させる大きな要因であるが、これを無くすることは見栄えの悪化を防ぐ上できわめて有効であり、上記の効果を良好にする。
【０００８】
特に、請求項５記載のように、透明材の屈折率を透過型表示器に用いられているガラス（ここではガラス基板）の屈折率とほぼ同等にすると、両者の界面（つまり端面）が一層目立たなくなるから、より良好な効果が得られる。
【０００９】
なお、ガラス基板上に表示素子が積層された透過型表示器としては、ＥＬ（エレクトロルミネッセンス）表示器が例示される。
ガラス基板上に表示素子を積層形成した構造の場合、ガラス基板とは反対側の面が露出していると表示素子が傷つくおそれがある。このため、表示素子を保護するため、表示素子を挟んでガラス基板と対面配置されるカバーガラスを備えることがある。
【００１０】
その場合は、カバーガラスの端面も透明材で覆うのが望ましい。すなわち、請求項２記載のように、請求項１記載の弾球遊技機において、前記透過型表示器は前記表示素子を挟んで前記ガラス基板と対面配置されるカバーガラスを備えており、前記透明材は前記カバーガラスの端面をも覆っている構成とするのが望ましい。
【００１１】
透明材にてカバーガラスの端面をも覆うことにより、カバーガラス端面をも遊技者に認識されにくくでき、見栄えの悪化を防ぐことができる。カバーガラスの端面と透明材とが一連になってカバーガラス端面のエッジ（稜線）を実質上無くすことができるので、上述したように上記の効果を良好にする。
【００１２】
この請求項２の構成においても、請求項５記載のように、透明材の屈折率を透過型表示器に用いられているガラス（ここではカバーガラス及びガラス基板）の屈折率とほぼ同等にすると、ガラスの端面が一層目立たなくなるから、より良好な効果が得られる。
【００１３】
請求項３記載の弾球遊技機は、請求項１又は２記載の弾球遊技機において、前記透過型表示器に用いられているガラスの端面は面取り加工されていないことを特徴とする。
透過型表示器に用いられているガラス（請求項１ではガラス基板、請求項２ではガラス基板及びカバーガラス）の端面に面取りを施さないことで、見栄えを害するエッジを最小限に抑えることができ、請求項１又は２による効果を確実にする。
【００１４】
請求項４記載の弾球遊技機は、請求項１から３のいずれか１項に記載の弾球遊技機において、前記透明板は板ガラスであることを特徴とする。
透明板は、例えばアクリル樹脂等の透明な合成樹脂製にできるが、これを請求項４のように板ガラスにすれば、透過型表示器に用いられているガラスとの屈折率の差を小さく（等しいか実質的に等しい程度に）できる。
【００１５】
板ガラスと透過型表示器のガラスとの屈折率の差を小さくすることにより、両者の屈折率の違いにより見栄えが悪化するのを防止できる。
また、請求項５記載のように、透明材の屈折率を透過型表示器に用いられているガラスの屈折率とほぼ同等とした際には、透過型表示器に用いられているガラス（ガラス基板、カバーガラス）、透明材、板ガラスの各屈折率がほぼ同等になり、ガラス基板又はカバーガラスと透明材の界面及び板ガラスと透明材の界面が全く目立たなくなる。すなわち、透過型表示器の端面が全く目立たなくなるから、端面による見栄えの悪化をきわめて良好に防止できる。
【００１６】
請求項５記載の弾球遊技機は、請求項１から４のいずれか１項に記載の弾球遊技機において、前記透明材の屈折率は、前記透過型表示器に用いられているガラスの屈折率とほぼ同等であるから、ガラス基板又はカバーガラスと透明材の界面が全く目立たなくなり、透過型表示器の端面による見栄えの悪化を良好に防止できる。
【００１７】
なお、ほぼ同等というのは、ガラス基板又はカバーガラスと透明材の界面が目立たない程度にということであるが、透明材の屈折率がガラス（ガラス基板又はカバーガラス）の屈折率を基準にして上下２２％の範囲であれば問題ない。なお、屈折率の代わりに反射率を用いることもでき、その場合は、ガラス（ガラス基板又はカバーガラス）の反射率を基準にして上下１％未満にするとよい。
【００１８】
請求項６記載の弾球遊技機は、請求項１から５のいずれか１項に記載の弾球遊技機において、前記透明材の屈折率は、前記透明板の屈折率とほぼ同等であることを特徴とするから、板ガラスと透明材の界面が全く目立たなくり、この部分での見栄えの悪化を良好に防止できる。また、請求項４や請求項５との組み合わせでは、上述したとおりきわめて良好な効果が得られる。なお、ほぼ同等の意味は上記（請求項５）と同様である。
【００１９】
請求項７記載の弾球遊技機は、請求項１から６のいずれか１項に記載の弾球遊技機において、前記透明材は接着剤であることを特徴とする。
接着剤であるから、透過型表示器のガラス端面と透明板との間に充填するのが容易である。また、多種多様な接着剤が製造、販売されているから、好適な屈折率のものを入手しやすい。
【発明を実施するための最良の形態】
【００２０】
次に、本発明のいくつかの実施例により最良の実施形態を説明する。なお、本発明は以下の具体的な例に限定されるわけではない。
［実施例１］
本発明の第１実施形態について図１、２を用いて説明する。図１は本発明の弾球遊技機の１種であるパチンコ機の要部（遊技盤）の正面概要図であり、図２は同部分の断面概要図である。なお、図示しない部分（説明も省略）はすべて公知技術に従っている。
【００２１】
遊技盤１には液晶ディスプレイ３、障害釘４、入賞口５などが装着されており、その前面側（遊技者側）にはガラス枠６に保持された板ガラス７ａ、７ｂが配されて、内側の板ガラス７ｂの内面にはＥＬディスプレイ２（透過型表示器に該当）が装着されている。
【００２２】
なお、ガラス枠６は図示しない前面枠に軸支されていて扉状に開閉できるが、図１、２はガラス枠６を閉じた状態を示している。この状態では、遊技盤１と遊技盤１側の板ガラス７ｂとの間に、遊技領域となって遊技球８を流下させる空間が確保されている（図２参照）。
【００２３】
ＥＬディスプレイ２は、フレキシブル回路基板９（ＦＰＣ）等により、ＥＬディスプレイ２を駆動するための集積回路が搭載された回路基板１０と電気的に接続されている。ＥＬディスプレイ２とＦＰＣ９とは、ガラス枠６の中で異方性導電接着剤（ACF）等によって電気的に接続されており、その接続部は遊技者から見えないので、ＥＬディスプレイ２の透明性が十分に生かされる。またFPC９と回路基板１０も異方性導電接着剤（ACF）等によって電気的に接続されている。
【００２４】
図３は、本実施形態におけるＥＬディスプレイ２と板ガラス７ｂの断面図である。この図３に示すとおり、ＥＬ素子基板１８はガラス基板１２とその上に順次薄膜として積層された、第１電極１３、第１絶縁膜１４、発光層１５、第２絶縁膜１６、および第２電極１７より形成されている。そして、ＥＬ素子のキズ防止、耐湿保護等のために、接着剤１９を介してカバーガラス２０を貼り合せ、ＥＬディスプレイ２を構成している。ここで、上記第１電極１３〜第２電極１７の膜は総膜厚でおよそ２μｍぐらいの非常に薄い膜である。
【００２５】
第１電極１３と第２電極１７はストライプ状で互いに直交しており、例えばＩＴＯ膜にて構成されている。この第１電極１３と第２電極１７とが直交した部分が、電極１３、１７の膜間に挟まれている第１絶縁膜１４、第２絶縁膜１６および発光層１５とともに画素を構成しており、第１電極１３、第２電極１７間に電圧を印加することで、この画素が発光可能となっている。すなわち、ガラス基板１２上に積層された第１電極１３〜第２電極１７の各膜により表示素子が構成されている。
【００２６】
発光層１５は例えば、ＺｎＳ、ＺｎＳｅ等の半導体材料にて構成されており、発光中心としては、Ｍｎ、Ｔｂ、Ｓｍ等を用いることができる。なお、発光中心にＭｎを用いた場合では黄橙色、Ｔｂを用いた場合では緑色、Ｓｍを用いた場合では赤色の発光を生じる。また、第１絶縁膜１４および第２絶縁膜１６はＴｉＯ2、Ａｌ2Ｏ3、ＳｉＯ2、Ｓｉ3Ｎ4等の誘電体により構成されている。
【００２７】
ELディスプレイ２は接着剤２４を介して板ガラス７ｂに貼り合せて固定されており、ELディスプレイ２のガラス端面（ガラス基板１２及びカバーガラス２０の端面）と板ガラス７ｂの表面との間に形成される空間部分には接着剤２５（透明材に該当）が充填されて、ガラス端面は接着剤２５で覆われている。接着剤２５の表面２５ａはカバーガラス２０の表面２０ａと滑らかに連なっており、カバーガラス２０のエッジ２０ｂは稜線としては存在しなくなっている。また、接着剤２５の表面２５ａは板ガラス７ｂの表面とも滑らかに連なっている。
【００２８】
接着剤１９、２４、２５はガラス（板ガラス７ｂ、ガラス基板１２、カバーガラス２０）と屈折率がほぼ同等の材料（例えばナガセケムテックス社製の接着剤XN1233）を使用しているので、接着剤１９、２４、２５と板ガラス７ｂ、ガラス基板１２及びカバーガラス２０とは光学的にほぼ一連になっており、ガラス端面は事実上視認できない。すなわち、ＥＬディスプレイ２の端面が全く目立たなくなるから見栄えが良好になる（端面による見栄えの悪化をきわめて良好に防止できる。）。また、接着剤２５と板ガラス７ｂとの境界も事実上視認できないから、板ガラス７ｂの一部がＥＬディスプレイ２になっているように見える。
【００２９】
しかも、ELディスプレイ２のガラス端面は面取り処理が施されていないから、面取りした場合よりもガラス端面のエッジ部分が少なく、より見栄えが向上する。
なお、ＥＬディスプレイ２を構成するガラス基板１２、第１電極１３〜第２電極１７の各薄膜、接着剤１９およびカバーガラス２０は全てほぼ透明であるので、このＥＬディスプレイ２は透過型表示器と言うことができる。
【００３０】
このように、ＥＬディスプレイ２のガラス端面と板ガラス７ｂの表面との間にガラスと屈折率がほぼ同等の接着剤２５を充填して、ガラス端面を接着剤２５で覆ったので、ＥＬディスプレイ２のガラス端面も、そのエッジ２０ｂも遊技者にほとんど認識されない。よって、ガラス端面及びエッジ２０ｂが遊技者に見えて見栄えが悪化することはなく、見栄えは良好である。
【００３１】
また、接着剤２５と板ガラス７ｂとの境界も遊技者にほとんど認識されないから、この点でも見栄えが良好になっている。
しかも、ＥＬディスプレイ２のガラス端面は面取りされていないので、見栄えを害するエッジを最小限に抑えることができ、見栄えを良好にする。
［実施例２］
一般にELディスプレイ２のEL素子基板１８が大きくなると生産能力低下や歩留り低下といった面が起因して表示器の価格も上がってしまう。そこで、安価な表示器を提供する構造としてELディスプレイ２を板ガラス７ｂに電気的に接続（導電接続）した実施例２を図４〜６により説明する。なお、図４は正面概要図であり、図５は断面概要図、図６は導電接続部の詳細図である。
【００３２】
ELディスプレイ２は表示領域２ａと電極１３や１７からつながった取り出し電極２１を有し、板ガラス７ｂには配線電極２２が配設されている。取り出し電極２１、配線電極２２は例えばＩＴＯ膜で形成されており、透明である。なお、ＥＬ素子基板１８の構成は実施例１と同様であるから、実施例１と同符号を用いて説明は省略する。
【００３３】
ELディスプレイ２の取り出し電極２１と板ガラス７ｂの配線電極２２は接着剤１９に混入された導電粒子２３（樹脂粒子にＡｕメッキを施したもの。例えば積水ファインケミカル社製のミクロパールＡｕ）によって電気的な導通が確保されている。こうすることで、ELディスプレイ２のEL素子基板１８は、配線電極２ｂを配設しなくても良く、表示領域２ａと取り出し電極２１だけを有するだけでよいのでEL素子基板１８は小さくできる。また、FPC９を使った回路基板１０との電気接続はガラス基板１２端で行う為に、板ガラス７ｂには配線電極２２が必要ではあるが、カバーガラス２０の役割も果たしているので、表示器としては安価な構造といえる。
【００３４】
この場合も実施例１と同様にEL素子基板１８のガラス基板１２の端面と板ガラス７ｂの表面との間に形成される空間部分には接着剤２５が充填されて、ガラス基板１２の端面は接着剤２５で覆われている。接着剤２５の表面２５ａはガラス基板１２の表面１２ａと滑らかに連なっており、ガラス基板１２のエッジ１２ｂは稜線としては存在しなくなっている。また、接着剤２５の表面２５ａは板ガラス７ｂの表面とも滑らかに連なっている。したがって、実施例１と同様の効果が得られる。
【００３５】
しかも、ＥＬディスプレイ２のＥＬ素子基板１８を小さくできるから、ＥＬ素子基板１８の生産能力低下や歩留り低下といったコストアップ要因は無くなり、安価な表示器を提供することが可能になる。また、板ガラス７ｂがカバーガラス２０の役割も果たすので、表示器としては安価な構造といえる。
［その他］
以上実施例等に従って、本発明の実施の形態を説明したが、本発明はこれらの例に限定されるものではなく、本発明の要旨を逸脱しない範囲でさまざまに実施できることは言うまでもない。
【００３６】
上記の各実施例では弾球遊技機としてパチンコ機を例示したが、他の形式の弾球遊技機（例えばアレンジボール式パチンコ機やじゃん球遊技機）にも適用可能である。
【図面の簡単な説明】
【００３７】
【図１】実施例１のパチンコ機の正面概要図である。
【図２】図１のパチンコ機の断面概要図である。
【図３】実施例１のELディスプレイの断面概要図である。
【図４】実施例２のパチンコ機の正面概要図である。
【図５】図４のパチンコ機の断面概要図である。
【図６】実施例２のEL素子基板と板ガラスの導電接続部の詳細図である。
【符号の説明】
【００３８】
１・・・遊技盤、
２・・・ＥＬディスプレイ（透過型表示器）、
５・・・入賞口、
６・・・ガラス枠、
７ａ、７ｂ・・・板ガラス（透明板）、
８・・・遊技球、
１２・・・ガラス基板、
１２ｂ・・・エッジ、
１８・・・ＥＬ素子基板、
２０・・・カバーガラス、
２０ｂ・・・エッジ、
２５・・・接着剤（透明材）。
【図１】
2005218763.tif 000003
【図３】
2005218763.tif 000004
【図２】
2005218763.tif 000005
【図４】
2005218763.tif 000006
【図５】
2005218763.tif 000007
【図６】
2005218763.tif 000008